(57)【要約】【課題】表示画面の視認性と装置本体の操作性とを向上させることができる液晶表示部付きの撮像装置を提供する。【解決手段】デジタルビデオカメラである撮像装置Ｄの装置本体１の一側部に表示部７１が回動軸部２１を中心に、かつ回動盤２３と一体的に回動するようにしてあり、回動盤２３の回動軸部２１の径方向の一側に錘２４を配し、錘２４の重みで、回動盤２３の錘２４側が下側になるよう自動的に回動盤２３が矢符方向に回動し、ひいては表示部７１が回動軸部２１回りの一定の傾斜角度に自動的に保持される。このためユーザが手動で表示部７１の傾斜角度を調整する必要がない。【選択図】図１
2007134900.tif 000002
【特許請求の範囲】
【請求項１】
撮像部を有する装置本体と、
該装置本体に、前記撮像部の光軸と交差する方向を回動軸として回動可能に設けてあり、前記撮像部で捉えた画像を表示する表示部と
を備える撮像装置において、
前記表示部は、該表示部の回動軸の直交方向両側の一方の重量を他方の重量より大きくしてあることを特徴とする撮像装置。
【請求項２】
撮像部を有する装置本体と、前記撮像部で捉えた画像を表示する表示部とを備える撮像装置において、
前記撮像部の光軸と交差する方向を回動軸として装置本体に対して回動可能に設けてある回動盤を備え、
前記表示部は、前記回動盤に共回り可能に連結してあり、
前記回動盤は、該回動盤の回動軸の直交方向両側の一方の重量を他方の重量より大きくしてあることを特徴とする撮像装置。
【請求項３】
前記表示部は前記回動盤に対して相対回動するようにしてあり、
前記表示部又は前記回動盤と共に回動する係合部、及び該係合部が係脱可能に係合し、前記回動軸周りに配された被係合部を備え、
前記係合部及び前記被係合部が係合している場合に、前記表示部が前記回動盤と共に回動するようにしてあることを特徴とする請求項２に記載の撮像装置。
【請求項４】
前記回動盤の回動範囲を規制する回動範囲規制手段を備えることを特徴とする請求項２又は３に記載の撮像装置。
【請求項５】
前記回動盤の回動を禁止する回動禁止手段を備えることを特徴とする請求項２乃至４の何れかひとつに記載の撮像装置。
【請求項６】
錘を配して前記一方の重量を前記他方の重量より大きくしてあることを特徴とする請求項１乃至５の何れかひとつに記載の撮像装置。
【請求項７】
前記錘の前記回動軸の周方向の位置を調整可能にしてあることを特徴とする請求項６に記載の撮像装置。
【発明の詳細な説明】
【技術分野】
【０００１】
本発明は、ビデオカメラ、デジタルカメラ等、回動可能な表示部が装置本体に設けられている撮像装置に関する。
【背景技術】
【０００２】
ユーザによる表示画面の視認性を向上させるために、従来、装置本体に対して回動自在に取り付けられている表示部を備える撮像装置が提案されている（特許文献１，２参照）。
このような撮像装置は、例えばビデオカメラ、デジタルビデオカメラ等であり、ユーザは、レンズを備える装置本体を把持して撮像し、被写体が表示される表示画面を視認し易いように表示部を手動で回動させ、表示部の回動方向の姿勢（以下、傾斜角度という）を調節する。
【特許文献１】特開平８−１２５８９０号公報
【特許文献２】特開平１１−３５５６２０号公報
【発明の開示】
【発明が解決しようとする課題】
【０００３】
視認性を向上させるために、表示画面はユーザの視線に対して垂直であることが望ましい。しかしながら、子供、スポーツ選手等、動きが激しい被写体を撮像装置で撮像する場合のように、レンズの向き、ひいては装置本体の姿勢が頻繁に変更される場合、表示部の傾斜角度を頻繁に手動で変更する必要がある。このため、装置本体の操作（例えば撮像のための操作）にユーザが集中できず、不便であった。
また、装置本体の操作に集中するため表示部の傾斜角度を変更しないまま装置本体を使用するときは、ユーザが表示画面を視認し辛くなり、不便であった。
【０００４】
本発明は斯かる事情に鑑みてなされたものであり、その主たる目的は、表示部の一部を他部より重い構成とすることにより、簡易な構成で、表示画面の視認性と操作性とを向上させることができる撮像装置を提供することにある。
【０００５】
本発明の他の目的は、表示部と一体的に回動する回動盤の一部を他部より重い構成とすることにより、軽量小型の表示部で、表示画面の視認性と装置本体の操作性とを向上させることができる撮像装置を提供することにある。
【０００６】
本発明の他の目的は、係合部及び被係合部の係脱によって表示部を回動盤に半固定する構成とすることにより、表示画面の視認性を更に向上させることができる撮像装置を提供することにある。
【０００７】
本発明の他の目的は、回動盤の回動範囲を規制する構成とすることにより、故障を防止することができる撮像装置を提供することにある。
【０００８】
本発明の他の目的は、回動盤の回動を禁止する構成とすることにより、多様な姿勢で使用することができる撮像装置を提供することにある。
【０００９】
本発明の他の目的は、錘を配して表示部又は表示部と一体的に回動する回動盤の一部を他部より重くする構成とすることにより、簡易な構成で、一部及び他部間の重量差を生じさせることができる撮像装置を提供することにある。
【００１０】
本発明の更に他の目的は、回動盤に配された錘の位置を回動軸周りに調整可能な構成とすることにより、表示画面の視認性を更に向上させることができる撮像装置を提供することにある。
【課題を解決するための手段】
【００１１】
本発明に係る撮像装置は、撮像部を有する装置本体と、該装置本体に、前記撮像部の光軸と交差する方向を回動軸として回動可能に設けてあり、前記撮像部で捉えた画像を表示する表示部とを備える撮像装置において、前記表示部は、該表示部の回動軸の直交方向両側の一方の重量を他方の重量より大きくしてあることを特徴とする。
【００１２】
本発明に係る撮像装置は、撮像部を有する装置本体と、前記撮像部で捉えた画像を表示する表示部とを備える撮像装置において、前記撮像部の光軸と交差する方向を回動軸として装置本体に対して回動可能に設けてある回動盤を備え、前記表示部は、前記回動盤に共回り可能に連結してあり、前記回動盤は、該回動盤の回動軸の直交方向両側の一方の重量を他方の重量より大きくしてあることを特徴とする。
【００１３】
本発明に係る撮像装置は、前記表示部は前記回動盤に対して相対回動するようにしてあり、前記表示部又は前記回動盤と共に回動する係合部、及び該係合部が係脱可能に係合し、前記回動軸周りに配された被係合部を備え、前記係合部及び前記被係合部が係合している場合に、前記表示部が前記回動盤と共に回動するようにしてあることを特徴とする。
【００１４】
本発明に係る撮像装置は、前記回動盤の回動範囲を規制する回動範囲規制手段を備えることを特徴とする。
【００１５】
本発明に係る撮像装置は、前記回動盤の回動を禁止する回動禁止手段を備えることを特徴とする。
【００１６】
本発明に係る撮像装置は、錘を配して前記一方の重量を前記他方の重量より大きくしてあることを特徴とする。
【００１７】
本発明に係る撮像装置は、前記錘の前記回動軸の周方向の位置を調整可能にしてあることを特徴とする。
【００１８】
本発明にあっては、回動軸を例えば略水平方向に配することによって、表示部の回動軸直交方向両側の重量が大きい一方が下側、重量が小さい他方が上側になるよう表示部が回動軸周りに自動的に回動する。即ち、装置本体の回動軸周りの姿勢（傾斜角度）によらず、表示部の傾斜角度が一定に保たれる。
【００１９】
本発明にあっては、回動軸を例えば略水平方向に配することによって、回動盤の回動軸直交方向両側の重量が大きい一方が下側、重量が小さい他方が上側になるよう回動盤が回動軸周りに自動的に回動し、このとき、表示部も回動盤と共に自動的に回動する。即ち、装置本体の傾斜角度によらず、表示部の傾斜角度が一定に保たれる。
【００２０】
本発明にあっては、係合部及び被係合部の係合が解除されている場合に表示部と回動盤とが相対回動し、係合部及び被係合部が係合している場合は表示部と回動盤とが共に回動する。つまり、係合部及び被係合部の係脱によって、表示部が回動盤に半固定されている。係合部は表示部又は回動盤と共に回動し、被係合部は回動軸周りに配されているため、係合部と係合する被係合部を変更することによって、表示部と回動盤との相対的な傾斜角度が変更される。
【００２１】
本発明にあっては、回動範囲規制手段によって所定の回動範囲で回動盤が回動する。
【００２２】
本発明にあっては、回動禁止手段によって禁止された場合に回動盤は回動せず、許可された場合に回動する。
【００２３】
本発明にあっては、回動軸を例えば略水平方向に配することによって、表示部の回動軸直交方向両側の錘が配されている一方が下側、錘が配されていない他方が上側になるよう表示部が回動軸周りに自動的に回動する。
又は、回動軸を例えば略水平方向に配することによって、回動盤の回動軸直交方向両側の錘が配されている一方が下側、錘が配されていない他方が上側になるよう回動盤が回動軸周りに自動的に回動し、このとき、表示部も回動盤と共に自動的に回動する。
以上のようにして、装置本体の傾斜角度によらず、表示部の傾斜角度が一定に保たれる。また、錘の配置は、例えば、表示部の形状を側面視涙滴状にすることによって、表示部の回動軸の上側の重量を下側より大きくする構成よりも簡易かつ容易であり、特に錘を内蔵する場合は、美観への影響もない。
【００２４】
本発明にあっては、回動盤に配された錘の回動軸の周方向の位置を調整することによって、表示部と回動盤との相対的な傾斜角度が変更され、変更された状態で、表示部が回動盤と共に回動する。
【発明の効果】
【００２５】
本発明の撮像装置による場合、表示部の傾斜角度が自動的に一定に保たれるため、表示部の傾斜角度をユーザが手動で調節する必要がない。このため、装置本体の操作性を向上させることができ、更に、表示部の傾斜角度をユーザが視認し易い傾斜角度（例えば地面に対して垂直）に保つことができ、この結果、表示画面の視認性を向上させることができる。
【００２６】
本発明の撮像装置による場合、係合部と係合する被係合部を予め変更しておくことによって、重量差で回動盤が回動軸周りに自動的に回動したときの表示部と回動盤との相対的な傾斜角度を変更することができる。この結果、例えば回動盤の傾斜角度が自動的に地面に対して垂直に保たれる場合でも、表示部、ひいては表示画面の傾斜角度はユーザの任意の傾斜角度に適宜変更することができ、表示画面の視認性を更に向上させることができる。
【００２７】
本発明の撮像装置による場合、回動盤、延いては表示部が所定の回動範囲内（例えば３６０°未満）でしか回動しないため、表示部が所定の回動範囲外（３６０°以上）まで回動することによって、一般に表示部に設けられている中空の回動軸部の内部に挿通されているケーブルが、過剰に捩れること、過剰に捩れて断線すること等を防止することができる。この結果、撮像装置の故障を防止することができる。
【００２８】
本発明の撮像装置による場合、使用態様に応じて回動盤、延いては表示部を回動させたくない場合に、ユーザが回動盤の回動を禁止させることができ、この結果、表示部を装置本体の傾斜角度に応じた傾斜角度で使用することができる。
【００２９】
本発明の撮像装置による場合、表示部に錘を追加するという簡易な構造で、表示部の傾斜角度を自動的に一定に保つことができる。又は、回動盤に錘を追加することによって表示部に錘を追加しないため表示部は小型軽量に構成することができ、しかも表示部の傾斜角度を自動的に一定に保つことができる。
【００３０】
本発明の撮像装置による場合、錘の回動軸の周方向の位置を予め調整しておくことによって、錘の作用によって表示部が回動軸周りに自動的に回動したときの表示部と装置本体との相対的な傾斜角度を変更することができる。又は、錘の作用によって回動盤が回動軸周りに自動的に回動したときの表示部と回動盤との相対的な傾斜角度を変更することができる。この結果、例えば回動盤の傾斜角度が自動的に地面に対して垂直に保たれる場合でも、表示部、ひいては表示画面の傾斜角度はユーザの任意の傾斜角度に適宜変更することができ、表示画面の視認性を更に向上させることができる。
【発明を実施するための最良の形態】
【００３１】
以下、本発明を、その実施の形態を示す図面に基づいて詳述する。
【００３２】
実施の形態  １．
以下では、液晶表示画面付きのデジタルビデオカメラである撮像装置Ｄを例示する。
図１の背面側斜視図に示すように、撮像装置Ｄは、夫々前後方向に長く幅方向に短い箱体状のカメラ部１１及びビデオ部１２を有する装置本体１と、表示部７１とを備える。カメラ部１１は撮像部であり、上部が前後方向に沿って横断面略円弧状に形成してあり、上部前側にレンズ部１５、上部後側にファインダ部１６が夫々設けられている。カメラ部１１の光軸は、レンズ部１５及びファインダ部１６を結ぶ位置に配されている。
【００３３】
カメラ部１１の右側には、カメラ部１１がレンズ部１５を介して撮像した画像を記録するビデオ部１２が並設され、ビデオ部１２の右側にはグリップベルト１４、後部には、例えばカメラ部１１による撮像の開始／停止をユーザが入力するためのオン／オフスイッチ１３、上部には撮像装置Ｄをユーザが操作するための図示しない操作部が夫々設けられている。
撮像装置Ｄを操作する場合、ユーザはグリップベルト１４に右手を通してビデオ部１２を上下に掴み、グリップベルト１４によって右手をビデオ部１２に押し付け、右手の親指でオン／オフスイッチ１３を操作し、その他の指で上部の操作部を操作する。
【００３４】
表示部７１は、撮像時又は再生時にカメラ部１１が捉えた画像を表示可能な表示画面７ａを一面に有する矩形状の液晶表示ユニットを用いてなる。表示部７１は、カメラ部１１の上下方向の回動軸を中心に回動（開閉）し、更に左右方向、即ちカメラ部１１の光軸と交差する方向の回動軸を中心に回動（傾斜）するようカメラ部１１の左側に設けられている。図１は、表示部７１を開いた状態（表示部７１の自由端側を装置本体１から離隔させた状態）を示している。以下では、表示部７１の傾斜について説明する。
【００３５】
図１、並びに表示部７１に係る図２の横断面図及び図３の模式的な側面図に示すように、装置本体１のカメラ部１１には、カメラ部１１の光軸と交差する方向を回動軸として、具体的には後述する回動軸部２１を回動中心として装置本体１に対して回動可能に設けてある円形状の回動盤２３が備えられている。表示部７１は、回動盤２３に連結してあり、回動盤２３同様、回動軸部２１を回動中心として回動盤２３と共に回動し、また、回動盤２３に対して相対回動するようにしてある。以下、表示部７１の回動機構を具体的に説明する。
【００３６】
表示部７１は表示画面７ａを露出させて枠体７ｂに囲繞されており、左右方向に配された円筒状の回動軸部２１の左端が、枠体７ｂの一側端中央部に屈曲可能に連結固定されている。
回動軸部２１は、カメラ部１１左面に形成された側面視円形状の凹部に嵌合しビス留めされたケース２５に配され、このケース２５の左面を貫通して左方向へ突設された支持筒２５ａに回動可能に内嵌しており、表示部７１を介し回動軸部２１に対して適宜の外力が加えられた場合に支持筒２５ａ内で回動する。回動軸部２１の右端には回動軸部２１の抜け止め用の止め輪２１ａが取り付けてあり、ケース２５の左面の内側に当接している。回動軸部２１は中空であり、装置本体１に接続された図示しないケーブルが回動軸部２１に挿通されて、表示部７１に接続されている。表示部７１は、前記ケーブルを介して画像表示用の信号、電力等を与えられる。
【００３７】
支持筒２５ａの外周面にはベアリング５１が外嵌してあり、支持筒２５ａの端部にはフランジ２５ｂが設けてある。回動盤２３は、支持筒２５ａから脱離しないようフランジ２５ｂとケース２５の左面との間に配されて、ベアリング５１を介して回動軸部２１回りに回動可能に支持されている。回動盤２３には、内部の幅（具体的には回動軸部２１径方向長さ）よりも入口の幅の方が狭いリング状の溝部２３ａが形成してある。
表示部７１の枠体７ｂの回動軸部２１連結側には、回動軸部２１径方向両側に、回動軸部２１との連結部分を中心として、横棒状の支持部材５２，５２夫々の一端が固定されている。各支持部材５２の他端は、溝部２３ａへ挿入されており、表示部７１開閉時の回動軸となり、また、溝部２３ａからの脱離防止にもなる軸部５２ａ，５２ａ，…が設けてある。
【００３８】
図２、図３及び図４の拡大側面図に示すように、一の軸部５２ａには、針金のような弾性部材を用いてなる係合部３１が、溝部２３ａの内面側へ突設してある。つまり、係合部３１は表示部７１と共に回動する。また、溝部２３ａの内面の一部には、係合部３１に対向して、係合部３１が係脱可能に係合すべき被係合部３２が設けてある。被係合部３２は、係合部３１が摺動する鋸状の摺動面である複数の凹凸形状が回動軸部２１周りに形成されており、被係合部３２の凹部に係合部３１の頂部が係合する。ここで、被係合部３２の各凹部は略同一サイズであり、一の凹部を中心に、レンズ部１５側及びファインダ部１６側夫々に同数が設けられている。
【００３９】
係合部３１と被係合部３２とが係合している場合、表示部７１は回動盤２３と共に回動するようにしてあり、係合していない場合、表示部７１は回動盤２３に対して相対回動するようにしてある。更に詳細には、ユーザが表示部７１を持って回動軸部２１周りの外力を表示部７１に加えることによって、弾性変形した係合部３１と被係合部３２の一の凹部との係合が解除されて表示部７１が回動盤２３に対して相対回動し、係合部３１が元の形状に復元して、前記凹部に隣接する他の凹部に係合される。係合部３１の表示部７１に対する位置は固定されているため、係合部３１が係合する被係合部３２を変更することによって、回動盤２３に対する表示部７１の回動軸部２１周りの傾斜角度が変更される。
なお、係合部３１が回動盤２３側に設けられて回動盤２３と共に回動し、被係合部３２が表示部７１側に設けられる構成でもよい。
【００４０】
図１〜図３に示すように、回動盤２３は、回動盤２３の回動軸の直交方向両側の一方の重量を他方の重量より大きくしてある。具体的には、回動盤２３の被係合部３２側の回動軸部２１径方向逆側に、適宜の重量を有する錘２４が内蔵されている。錘２４は、重力に従って常に最下位置へ移動しようとするため、錘２４が最下位置にない場合、錘２４の最下位置への移動に伴って回動盤２３が回動する。
【００４１】
ケース２５の左面には回動盤２３の外周面に対向して回動盤２３を囲繞する囲繞面２５ｃが形成してあり、回動盤２３の回動範囲を規制する回動範囲規制手段として、囲繞面２５ｃの最下部に固定突起部４２が突設してあり、回動盤２３の被係合部３２側の外周面には固定突起部４２に対応する回動突起部４１が、錘２４が固定突起部４２の直上に位置している場合に固定突起部４２から回動軸部２１周りに約１８０°離隔して形成してある。
【００４２】
係合部３１と被係合部３２の周方向中央部の凹部とが係合している場合、錘２４が最下位置にあるとき、表示部７１の傾斜角度は鉛直となる。この後、表示部７１及び回動盤２３の回動によって回動突起部４１が回動軸部２１周りに移動し、固定突起部４２に当接することによって回動盤２３の回動範囲が規制される。表示部７１の回動に伴い回動軸部２１内のケーブルは回動方向に捩られるが、表示部７１及び回動盤２３の回動範囲は、レンズ部１５側及びファインダ部１６側夫々に関して１８０°未満であり、ケーブルが過剰に捩れることが防止され、この結果、捩れによるケーブルの断線が防止されている。
なお、固定突起部４２を複数設けて、回動盤２３の回動範囲を更に規制（例えばレンズ部１５側及びファインダ部１６側夫々に０°〜９０°、０°〜１２０°の回動範囲）しても良い。
【００４３】
以上のような撮像装置Ｄは、図５の説明図に示すように、撮像装置Ｄよりも下方（上方）に位置する被写体を撮像する場合に、装置本体１の前側（レンズ部１５側）が後側よりも下方（上方）に位置するよう装置本体１が傾斜される。この場合、錘２４の重量によって回動盤２３が図中白抜矢符方向（白抜矢符方向の逆方向）に回動し、ひいては表示部７１が回動して鉛直の姿勢となる。このため、ユーザの水平方向の視線Ｓ１が表示画面７ａに対して垂直に入射し、ユーザが表示画面７ａを容易に視認することができる。
特に、撮像装置Ｄの表示部７１をユーザの正面に配置した状態で、撮像装置Ｄの高さを変えないで装置本体１の傾斜角度を変更する場合に、表示画面７ａがユーザの視線Ｓ１に垂直になるようユーザに対向するため、ユーザが常に最適な状態で表示画面７ａを視認することができる。
【００４４】
仮に、錘２４による回動盤２３の自動的な回動がない場合、表示部７１は、図中二点鎖線に示すように、装置本体１の傾斜に伴って表示画面７ａが上方（下方）を向くように傾斜する。このため、ユーザの視線Ｓ１は表示画面７ａに対して垂直に入射することができず、ユーザが表示画面７ａを鮮鋭に視認することが困難となる。
【００４５】
また、撮像装置Ｄは、図６の説明図に示すように、ユーザが予め係合部３１を被係合部３２の適宜の凹部に係合させて、表示画面７ａが下方（上方）を向くよう表示部７１を回動盤２３に対して傾斜させておくことによって、撮像装置Ｄよりも上方（下方）に位置する被写体を撮像する場合に、装置本体１の前側（レンズ部１５側）が後側よりも上方（下方）に位置するよう装置本体１が傾斜されたときに、錘２４の重量によって回動盤２３が回動し、表示部７１は、表示画面７ａが下方（上方）を向くように傾斜した姿勢となる。このため、ユーザの斜め上（斜め下）への視線Ｓ２が表示画面７ａに対して垂直に入射し、ユーザが表示画面７ａを容易に視認することができる。
【００４６】
図中二点鎖線は、係合部３１を被係合部３２の周方向中央部の凹部と係合させた状態で、回動盤２３の回動に伴って表示画面７ａが鉛直の姿勢となった場合を示している。この場合、ユーザの視線Ｓ２は表示画面７ａに対して垂直に入射することができず、ユーザが表示画面７ａを鮮鋭に視認することが困難となる。
【００４７】
ところで、撮像装置Ｄには、図３に示すように、回動盤２３の回動を禁止する回動禁止手段として、固定ピン４３が設けてある。固定ピン４３は、図示しないコイルバネの中心部に配され、通常は装置本体１の外方へ突出するように付勢されている。この固定ピン４３が装置本体１の内部へ押し込まれた場合、固定ピン４３の先端が回動盤２３の外周面に当接して回動盤２３を摩擦固定する。
撮像中にユーザが任意の角度で表示部７１を固定したい場合、例えば極端なハイアングル又はローアングルで撮像を行なう場合、ユーザは手動で固定ピン４３を装置本体１の内部へ押し込み、回動盤２３、延いては表示部７１の自動的な回動を禁止し、表示部７１の傾斜角度を固定する。ユーザが固定ピン４３から手を離した場合、固定ピン４３は装置本体１の外方へ突出し、再び回動盤２３による自動的な回動が許可される。
【００４８】
なお、回動盤２３は円形状でなくともよい。例えば楕円形状、扇形状でもよく、ケース内で回動した回動盤がケースに直接的に当接することによって回動盤の回動範囲を規制してもよい。
【００４９】
実施の形態  ２．
図７の横断面図及び図８の模式的な側面図に示すように、本実施の形態の撮像装置Ｄは、実施の形態１の表示部７１と同様に回動盤２３に連結してあり、回動盤２３と共に回動するようにしてある表示部７２を備える。ただし、回動盤２３に対する表示部７２の回動軸部２１周りの傾斜角度の変更を、係合部３１と被係合部３２との係合及び係合解除によって行なう構成ではなく、錘２４の回動軸部２１周りの位置の調整によって行なう構成としてある。
その他、実施の形態１に対応する部分には同一符号を付してそれらの説明を省略する。
【００５０】
回動盤２３内の径方向一側には空隙２３ｂが回動軸部２１周りに設けてあり、錘２４は空隙２３ｂ内に、例えば図示しない摘みをユーザが摘持して周方向に移動させることによって、周方向に移動可能に配してある。空隙２３ｂ外周側内面には適長離隔して複数の凸部２３ｃ，２３ｃ，…が突設してあり、ユーザによって移動させられた錘２４が凸部２３ｃを乗り越えることによって、凸部２３ｃ，２３ｃ間に配される。錘２４の移動によって錘２４と表示部７２との位置関係が周方向に変更されるため、錘２４が最下位置にある場合の表示部７２の傾斜角度が変更される。つまり、ユーザが予め錘２４の位置を調整しておくことによって、ユーザの視線に対する表示画面７ａの傾斜角度を調整することができる。
【００５１】
実施の形態  ３．
図９の背面側斜視図に示すように、本実施の形態の撮像装置Ｄは、回動盤２３を備えず、装置本体１に、左右方向（カメラ部１１の光軸と交差する方向）を回動軸として、具体的には後述する回動軸部６１を回動中心として回動可能に設けてある表示部７３を備える。
回動軸部６１は、カメラ部１１左面に形成された凹部に嵌合しビス留めされた直方体状のケース６０の左面を貫通しており、左端が表示部７３の枠体７ｂの一側端中央部に屈曲可能に連結固定されている。回動軸部６１は、表示部７３を介し回動軸部６１に対して適宜の外力が加えられた場合にケース６０内で矢符方向に回動する。
【００５２】
表示部７３は、表示部７３の回動軸の直交方向両側の一方の重量を他方の重量より大きくしてある。具体的には、表示部７３下部に錘６２が内蔵されている。錘６２は、重力に従って常に最下位置へ移動しようとするため、錘６２が最下位置にない場合、錘６２の移動に伴って表示部７３が回動する。
その他、実施の形態１，２に対応する部分には同一符号を付してそれらの説明を省略する。
以上のような撮像装置Ｄは、錘６２の重量によって表示部７３が回動して鉛直の姿勢となるため、ユーザの水平方向の視線が表示画面７ａに対して垂直に入射し、ユーザが表示画面７ａを容易に視認することができる。
【００５３】
実施の形態  ４．
図１０の背面側斜視図に示すように、本実施の形態の撮像装置Ｄは、実施の形態３の表示部７３と同様、装置本体１に、回動軸部６１を回動中心として矢符方向に回動可能に設けてある表示部７４を備える。表示部７４は表示部７３とは異なり錘６２は備えない。
表示部７４は、表示部７４の枠体７ｂの回動軸部６１連結側の逆側に、回動レバー６３を設けてある。回動レバー６３は表示部７４と共に回動し、また、回動軸部６１の回動軸に略一致する回動軸を有する回動軸部６３ａを回動中心として表示部７４に対して白抜矢符方向に相対回動可能にしてある。
【００５４】
回動レバー６３は、回動レバー６３の回動軸の直交方向両側の一方の重量を他方の重量より大きくしてある。ここで、回動レバー６３は、一端が回動軸部６３ａを介して表示部７４に取り付けられており、自由端である他端に錘６３ｂが内蔵されている。錘６３ｂは、重力に従って常に最下位置へ移動しようとするため、錘６３ｂが最下位置にない場合、錘６３ｂの移動に伴って回動レバー６３が表示部７４と共に回動する。
【００５５】
回動軸部６３ａは表示部７４に固定され、また、回動レバー６３の中央部に内嵌してあり、摩擦係合によって回動レバー６３に半固定されている。ユーザが手動で回動レバー６３に外力を加えた場合、回動レバー６３は回動軸部６３ａを回動中心として表示部７４に対して相対回動する。
即ち、回動レバー６３を表示部７４に対して相対回動させることによって、回動レバー６３の錘６３ｂの位置と表示部７４との傾斜角度が変更可能となる。
その他、実施の形態３に対応する部分には同一符号を付してそれらの説明を省略する。
【００５６】
以上のような撮像装置Ｄは、予め回動レバー６３の表示部７４に対する傾斜角度を調整しておくことによって、錘６３ｂの重量によって回動レバー６３及び表示部７４が回動して表示部７４を自動的に適宜の傾斜角度に維持することができる。このため、ユーザの水平方向の視線が表示画面７ａに対して垂直に入射し、ユーザが表示画面７ａを容易に視認することができる。
また、回動レバー６３を表示部７４に対して平行に配しておくことによって、例えば表示部７４を閉じた場合に、回動レバー６３が不要に突出することが防止される。
なお、本発明の撮像装置はデジタルビデオカメラに限るものではなく、デジタルスチルカメラ、カメラ機能付きの携帯電話機又はモバイルパソコン等でもよい。
【図面の簡単な説明】
【００５７】
【図１】本発明の実施の形態１に係る撮像装置の構成を示す背面側斜視図である。
【図２】本発明の実施の形態１に係る撮像装置が備える表示部の回動機構の構成を示す横断面図である。
【図３】本発明の実施の形態１に係る撮像装置が備える表示部の回動機構の構成を示す模式的な側面図である。
【図４】本発明の実施の形態１に係る撮像装置が備える表示部の回動機構の係合部及び被係合部の構成を示す拡大側面図である。
【図５】本発明の実施の形態１に係る撮像装置が下方の被写体を撮像する場合の表示部の回動を示す説明図である。
【図６】本発明の実施の形態１に係る撮像装置が上方の被写体を撮像する場合の表示部の傾斜を示す説明図である。
【図７】本発明の実施の形態２に係る撮像装置が備える表示部の回動機構の構成を示す横断面図である。
【図８】本発明の実施の形態２に係る撮像装置が備える表示部の回動機構の構成を示す模式的な側面図である。
【図９】本発明の実施の形態３に係る撮像装置の構成を示す背面側の斜視図である。
【図１０】本発明の実施の形態４に係る撮像装置の構成を示す背面側の斜視図である。
【符号の説明】
【００５８】
１    装置本体
１１  カメラ部（撮像部）
７１，７２，７３，７４  表示部
２３  回動盤
２４，６２，６３ｂ  錘
３１  係合部
３２  被係合部
４１  回動突起部（回動範囲規制手段）
４２  固定突起部（回動範囲規制手段）
４３  固定ピン（回動禁止手段）
Ｄ    撮像装置
【図１】
2007134900.tif 000003
【図２】
2007134900.tif 000004
【図３】
2007134900.tif 000005
【図４】
2007134900.tif 000006
【図５】
2007134900.tif 000007
【図６】
2007134900.tif 000008
【図７】
2007134900.tif 000009
【図８】
2007134900.tif 000010
【図９】
2007134900.tif 000011
【図１０】
2007134900.tif 000012